(57)【要約】      （修正有）【課題】弦楽器の空洞内部の湿度を効率よく調整し、弦楽器の乾燥によるひび割れや歪みなどを防止し、かつ吸放湿性を有する調湿用品を提供する。【解決手段】弦楽器のＦホールに挿入して使用される弦楽器用調湿用品であって、吸水性樹脂粉末、吸水性樹脂繊維および吸水性樹脂シート２からなる群から選ばれる１種以上の吸放湿性成分が封入され、水分透過性の素材で形成された袋状物１および該袋状物に装着されたＦホール内への落下防止用のストッパー４から構成される。【選択図】図１
2015121663.tif 000002
【特許請求の範囲】
【請求項１】
弦楽器のＦホールに挿入して使用される弦楽器用調湿用品であって、
吸水性樹脂粉末、吸水性樹脂繊維および吸水性樹脂シートからなる群から
選ばれる１種以上の吸放湿性成分が封入され、水分透過性の素材で形成さ
れた袋状物（１）
および
該袋状物に装着されたＦホール内への落下防止用のストッパー（２）
から構成される弦楽器用調湿用品。
【請求項２】
前記袋状物がウェーブテープを介して落下防止用のストッパーと連結された
構造である請求項1記載の弦楽器用調湿用品。
【請求項３】
前記ウェーブテープが袋状物の端部まで挿入されていることを特徴とする請
求項２記載の弦楽器用調湿用品。
【請求項４】
前記吸放湿性成分が布帛からなる短冊状の袋状物に封入され、前記ストッパ
ーが円盤状もしくは球状であって、該ストッパーの直径がＦホールの最大部分
の径よりも大きいことを特徴とする請求項1〜３のいずれか記載の弦楽器用調湿用品。
【請求項５】
前記吸放湿性成分が吸水性樹脂シートであり、該吸水性樹脂シートが、吸水
性樹脂および吸水性樹脂以外の水不溶性吸水・保水材が通水性基材に固定され
てなる吸放湿性シートであることを特徴とする請求項１〜４のいずれか記載の弦楽器用調湿用品。
【請求項６】
前記袋状物を使用前に水で膨潤させた後、弦楽器のＦホールから挿入して使
用する請求項１〜５いずれか記載の弦楽器用調湿用品の使用方法。
【発明の詳細な説明】
【技術分野】
【０００１】
本発明は、弦楽器類を乾燥による割れなどから守る調湿用品およびその使用方法に関する。
【背景技術】
【０００２】
従来、バイオリン、チェロ、ビオラ、コントラバス、ギター、マンドリン等
の弦楽器もしくはこれらの演奏に用いられる弓等の保存においては、当該弦楽
器の性能を保つために適度な湿度調整が要求される。このため、例えば弦楽器
収納ケース内に、顆粒状のシリカゲルを含むバッグを収納し、弦楽器の使用直
後や、使用環境の変化によって生じた過度の湿気を除去し、保存雰囲気中の弦
楽器収納ケース内の湿度を低減する対策がなされている。また、弦楽器の保存
に際しては、湿度を低減するだけでなく、さらに一定の湿度を保つ必要がある。
これは上記弦楽器や弓等がその材料特性上、乾燥が進みすぎると音質が変化する等の問題を起こしたり、極端な場合にはひび割れ、切断等の物理的損傷
を生じることもあるからである。このため、吸放湿性を有する高分子を用い、これを基体となるゴム材料に混合させてなるゴムシートを形成し、弦楽器用調湿シート（例えば古河電気工業株式会社製「ドライキーパー」）として弦楽器収納ケースに入れて用いる対策がなされている（例えば、特許文献１）。
また、弦楽器の保存中以外に、弦楽器を使った演奏の最中においても、比較的乾燥したホールや強い照明が当たって暑くなるステージなどで、乾燥が進むと弦楽器の音質が変化してきたり、極端な場合には弦楽器に突然のひび割れなどが発生する等の問題が起こることがある。
【先行技術文献】
【特許文献】
【０００３】
【特許文献１】特開２００３−０１０６３１号公報
【発明の開示】
【発明が解決しようとする課題】
【０００４】
通常、弦楽器は外面が塗装されており内面は未塗装のままであるため、弦楽器の乾燥や吸湿はその内面から多く起こり、ゆがみやひずみの原因は弦楽器の内面からの乾燥や吸湿である。しかしながら、従来の弦楽器用調湿シートは弦楽器収納ケースに入れるタイプの調湿シートであり、弦楽器の内面からの乾燥や吸湿を効率よく調整することができなかった。
本発明は以上の課題に鑑みてなされたものであって、従来の弦楽器用調湿シートに比べて効率よく調湿することができる弦楽器用調湿用品を提供することを目的とする。
【課題を解決するための手段】
【０００５】
本発明者らは、上記の問題点を改良した弦楽器用調湿用品を得るべく鋭意検討した結果、特定の吸放湿性成分を水分透過性の袋状物に封入し、特定の落下防止用のストッパーを装着した構成の弦楽器用調湿用品は、上記問題を起こすことがないことを見出し本発明に到達した。
すなわち本発明は、弦楽器のＦホールに挿入して使用される弦楽器用調湿
用品であって、吸水性樹脂粉末、吸水性樹脂繊維および吸水性樹脂シートか
らなる群から選ばれる１種以上の吸放湿性成分が封入され、水分透過性の素
材で形成された袋状物（１）および該袋状物に装着されたＦホール内への落
下防止用のストッパー（２）から構成される弦楽器用調湿用品、並びに、前記袋状物を使用前に水で膨潤させた後、弦楽器のＦホールから挿入して使用する弦楽器用調湿用品の使用方法、である。
【発明の効果】
【０００６】
本発明の弦楽器用調湿用品は、以下の効果を奏する。
(1) 
弦楽器が乾燥しすぎの場合は、適度に水分を放出して、弦楽器の内面から最適な湿度に調湿することができる。
(2) 
弦楽器の湿度が高すぎる場合は、適度に水分を吸湿して、弦楽器の内面からに最適な湿度に調湿することができる。
(3) 
弦楽器の保存中であっても、演奏で使用中であっても、調湿効果を発揮することができる。
(4) 
上記のように、過度の湿気や過度の乾燥を防止することが出来るため、弦楽器の音質の変化やひび割れなどを防止することが出来る。
(5) 
調湿用品の表面がサラッとしているので、弦楽器の内部に水が垂れることがなく、弦楽器に悪影響を及ぼさない。
【図面の簡単な説明】
【０００７】
【図１】本発明の弦楽器用調湿用品の一例を示す模式図である。
【図２】本発明の弦楽器用調湿用品が水を吸水した状態の一例を示す模式図である。
【図３】本発明の弦楽器用調湿用品の配設の仕方の一例を示す模式図である。
【発明を実施するための形態】
【０００８】
以下、本発明の実施の形態につき、説明する。なお、本発明は、以下の実施の形態に限定されるものではない。本発明と同一および均等の範囲内において、以下の実施の形態に対して種々の変更を加えることが可能である。
【０００９】
本発明における弦楽器としては、バイオリン、チェロ、ビオラ、コントラバス、マンドリン、ギターなどが挙げられる。
本発明の調湿用品はこれらの弦楽器のＦホールから弦楽器の内部に挿入して使用するものであり、調湿用品の全体が弦楽器の内部に落ち込まないように、当該弦楽器のＦホールの最大部分の径よりも大きい直径を有するストッパーを装着している。ＦホールとはＦ字孔とも呼ばれ、アルファベット文字のｆをデザイン化した形で弦楽器の胴部分に通常２個空けられている孔である。
なお、Ｆホールを有しないギターの場合は、弦の隙間から調湿用品を挿入し、隣り合った２本の弦でストッパーを支持することで配設することができる。
【００１０】
図1に、水を吸水する前の本発明の調湿用品の一例の模式図を示す。
図1において、1は袋状物、２は袋状物内に封入された吸水性樹脂シート、３はウェーブテープ、４はストッパーを示す。ｒ0は袋状物の巾、Ｌは袋状物の長さ、Ｒはストッパーの直径、ａはストッパーと袋状物の連結部分の長さである。
図２は、図１の調湿用品が水を吸水して膨潤した状態の一例の模式図を示す。
図２において、ｒ1は水で膨潤した袋状物の最大部分の直径、Ｌは袋状物の長さ、ａは袋状物とストッパーの連結部分の長さ、Ｒはストッパーの直径である。
図３は、コントラバスのＦホールに調湿用品を配設した場合の断面図の模式図である。
【００１１】
本発明における水分透過性の袋状物としては、例えば、布帛、不織布およびシートなどで袋状に縫製もしくは接着された袋状物が挙げられる。
布帛の材質としては、たとえば綿、羊毛、絹、セルロース、パルプなどの天然繊維、ポリエステル、ナイロン、アクリル、ポリエチレン、ポリプロピレン、ポリウレタン、ポリスチレン、ポバールなど及びその変性物などの合成樹脂又は繊維、レーヨン、アセテート等の半合成繊維など及びこれらの混合素材などが適用できる。  
不織布としては、工業的に使用されている不織布が使用できる。不織布は乾式法、湿式法のいずれの方法でも、またスパンレース法、サーマルボンド法、スパンボンド法、ニードルパンチ法などいずれの方法で製造されたものでも使用できる。不織布の目付量は、特に制限はないが３０ｇ〜５００ｇ／ｍ2が好ましく、４０ｇ〜２００ｇ／ｍ2がより好ましい。
シートとしては、ポリエチレン、ポリプロピレンなどのシートに微細な孔を数多く開けたものなどが挙げられる。
これらの中で布帛や不織布が好ましく、特に弦楽器に配設する場合の風合いと吸放湿の即効性の観点から布帛が好ましい。
【００１２】
袋状物の好ましい形状としては長方形の短冊状、一方が尖った短冊状および円筒状などが挙げられる。大きさとしては、弦楽器の大きさによって異なるが、吸放湿性成分としての吸水性樹脂粉末、吸水性樹脂繊維および／または吸水性樹脂シートが封入された袋状物を水で膨潤させた際の直径が、Ｆホールの最大部分の径よりも小さいことが好ましく、Ｆホールの最大部分よりも大きいとＦホールから挿入しにくくなる。
また、袋状物の長さとしては、弦楽器の大きさによって異なるが、調湿用品が挿入された際に弦楽器の背面にまで届かないような長さの方が、弦楽器の背面に調湿用品が直接接触することがないので好ましい。
【００１３】
図１における短冊状の調湿用品の場合の例では、コントラバスおよびチェロ用の場合、ｒ０は好ましくは１０〜４０ｍｍ、ビオラ、バイオリン、マンドリンおよびギター用の場合はｒ０は好ましくは５〜３０ｍｍである。また、水を吸水して膨潤した後の図２におけるｒ１は通常はｒ０よりも小さくなる。
また、袋状物の長さＬは、コントラバス用の場合は好ましくは１００〜２００ｍｍ、さらに好ましくは１５０〜２００ｍｍであり、チェロ用の場合は好ましくは５０〜１７０ｍｍ、さらに好ましくは１００〜１６０ｍｍである。長さＬは、ビオラ、バイオリン、マンドリンおよびギター用の場合は好ましくは２０〜７０ｍｍ、さらに好ましくは２０〜６０ｍｍである。
【００１４】
本発明における袋状物は前記の布帛、不織布またはシートを袋状に縫製または接着したものであれば特に限定されない。縫製または接着に際しては、吸放湿性成分を封入した状態で縫製または接着してもよく、また、縫製または接着した後に吸放湿性成分を封入してもよい。吸放湿性成分を封入した状態で縫製または接着する場合は、吸放湿性成分が使用時に水を吸水して充分に膨潤できるように、吸放湿性成分を噛み込まないような位置で縫製または接着することが好ましい。
【００１５】
本発明における袋状物に封入される調湿性成分は、吸水性樹脂粉末、吸水性樹
脂繊維および吸水性樹脂シートからなる群から選ばれる１種以上である。
調湿性成分は、吸水性樹脂粉末、吸水性樹脂繊維および吸水性樹脂シートのうちの一種を用いても、二種以上の併用であってもよい。これらのうち好ましいのは吸水後の膨潤樹脂の偏在化が少ないという観点から吸水性樹脂繊維および吸水性樹脂シートであり、吸水速度と吸水倍率の観点から、特に吸水性樹脂シートが好ましい。
吸水性樹脂以外の海綿状物、樹脂スポンジおよびゴムスポンジなどは水分を一旦は吸水するが、その保持力は小さいため、表面のべたつきがあり、使用感や吸放湿性において不十分であり、弦楽器の内部に水滴が落ちて内部の木部が腐る可能性がある。
【００１６】
吸水性樹脂粉末としては特に限定されるものではないが、安価で、安全性、耐久性、吸水倍率や吸水速度などの吸水特性に優れ、かつ、腐敗の心配の無いものが好ましい。吸水性樹脂の組成としては公知のものが使用でき、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、保水性、安全性や経済性などが良好であるため好ましい。
【００１７】
吸水性樹脂粉末のうち、吸水性樹脂の含水ゲル重合体にさらに架橋剤を加えて混合し加熱して反応させた後、乾燥粉砕したものが特に好ましい。最も好ましいのは吸水性樹脂の粉末を含水ゲルとした後架橋剤を反応させて得られる吸水性樹脂粉末である。重合時のモノマーやオリゴマーなどの水可溶性成分をさらに架橋するので吸水性樹脂中に残存する水可溶性成分の量をさらに低下させることができる。したがって、調湿用品に用いると「ヌメリ」がさらに少なくなるので好ましい。
【００１８】
前記架橋剤としては、Ｎ，Ｎ´−メチレンビスアクリルアミド、（ポリ）エチレングリコールジ（メタ）アクリレートなどの多官能性（メタ）アクリレート；エチレングリコールジグリシジルエーテル、グリセリン−１，３−ジグリシジルエーテル、グリセリントリグリシジルエーテル、ポリエチレングリコールジグリシジルエーテルなどのポリグリシジル化合物；グリセリン、エチレングリコール、ポリエチレングリコールなどのポリオール化合物；エチレンジアミン、ポリアミドポリアミンエピクロルヒドリン樹脂などのポリアミン化合物などが挙げられる。好ましい架橋剤は、加水分解しにくいポリグリシジル化合物、ポリオール化合物である。架橋剤が加水分解しにくいと何回も繰り返して使用しても「ヌメリ」が少ない。上記反応条件として従来の吸水性樹脂粉末の表面架橋に用いる条件と同じでよい。
【００１９】
これらの吸水性樹脂粉末は、単独で用いてもよく、また、二種類以上を適宜混合して用いてもよい。上記吸水性樹脂粉末は、所定形状に造粒されていてもよく、また、不定形破砕状、球状、鱗片状、微細繊維状、棒状、塊状など、種々の形状であってもよい。
【００２０】
吸水性樹脂粉末の平均粒子径についても特に限定はないが、好ましくは５０〜８５０μｍであり、さらに好ましくは６０〜４００μｍである。５０μｍより大きいと袋状物から吸水性樹脂粉末が漏れにくくなり、８５０μｍより小さいと調湿用品が水を吸収するときの吸収速度が良好である。粒度分布は特に限定はないが、好ましくは５０〜８５０μｍの範囲の粒子が９５質量％以上となるように粉砕したものを用いることができる。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、篩振とう法が適用できる。
【００２１】
上記吸水性樹脂の吸水倍率は重量で１００〜１０００倍であるのが好ましい。
吸水倍率は下記の方法で測定できる。
＜吸水性樹脂の吸水倍率の測定法＞
ナイロン製の網袋（２５０メッシュ）に吸水性樹脂の試料（サンプル量；Ｘｇ）を入れ、これを袋ごと過剰の水に浸した。浸漬６０分後に袋ごと空中に引き上げ、静置して１５分間水切りした後、質量（Ｙｇ）を測定して下式より吸水倍率を求めた。［網袋のみを用いて上記と同様の操作を行い、この分の質量（Ｚｇ）をブランクとして差し引いた。］
吸水倍率＝（Ｙ−Ｚ）／Ｘ
【００２２】
また、吸水性樹脂の吸水速度は、好ましくは５〜２００秒であり、より好ましくは５〜１００秒である。吸水速度が５秒以上であると、空気中の湿度の影響で吸水性樹脂同士のブロッキングなどが生じにくくなり、加工適性が良好である。吸水速度が２００秒以下であると、調湿用品を含水した時の吸水速度が十分に速くまた水の蒸散速度も速くなるので調湿効果の即効性が発揮できるため好ましい。
【００２３】
吸水速度は下記の方法で測定できる。
＜吸水性樹脂の吸水速度の測定法＞
1.１００ｍＬのガラスビーカーに水道水を５０ｍＬ入れ、マグネットスターラー〔直径（中央部８ｍｍ、両端７ｍｍ）、長さ３０ｍｍのフッ素樹脂コーテイングされたもの〕を用いて６００ｒｐｍで攪拌する。  
２．試料２．００試験サンプルを渦中に一度に投入し、投入した時から渦が消えて液面が水平になった時点までの時間（秒）を測定し、吸水速度とする。
【００２４】
本発明における袋状物に封入される調湿性成分のうち、吸水性樹脂繊維としては、前記吸水性樹脂粉末と同様の組成の吸水性樹脂を繊維状に成形したものが挙げられる。特に繊維状に成形しやすいイソブチレン−無水マレイン酸共重合架橋体およびアクリロニトリル共重合体が好ましい。
また、吸放湿性成分としては、これらの吸水性樹脂繊維と後述の水不溶性吸水・保水材を併用してもよい。
【００２５】
本発明における袋状物に封入される調湿性成分のうち、吸水性樹脂シートと
しては、前記吸水性樹脂のみをシート状に成形したものであってもよく、前記吸水性樹脂粉末を吸水性樹脂以外の水不溶性吸水・保水材が通水性基材に固定されてなる吸水性樹脂シートであってもよい。好ましいのは、シートの強度および加工のし易さの観点から、前記吸水性樹脂粉末を吸水性樹脂以外の水不溶性吸水・保水材が通水性基材に固定されてなる吸水性樹脂シートである。
ここで「固定」とは吸水性樹脂と水不溶性吸水・保水材を通水性基材の片面に何らかの手段で固定することと、少なくとも片面が通水性基材であるように吸水性樹脂と水不溶性吸水・保水材を両側から基材で挟むことの両方を含むものとする。
【００２６】
水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。好ましいのは軽量で柔軟性のある有機系水不溶性吸水・保水材であり、特に好ましいのは吸水性樹脂と親和性が大きく経済的に有利なパルプである。
【００２７】
パルプとしては、たとえば、木材パルプ（針葉樹パルプ、広葉樹パルプ）、非木材パルプ（たとえば麻、楮、三椏、ガンピ、稲藁、麦藁、バナナ、バガス、月桃、ケナフ、竹、笹、ハトバショウ、カジノキなどのパルプ）などを挙げることができる。中でも、吸水性に優れ、入手も容易な針葉樹パルプを用いることが好ましい。
【００２８】
水不溶性吸水・保水材の形状や大きさは特に限定はないが、好ましくは通水性基材から抜け出さないような大きさである。より好ましくは０．５ｍｍ以上、５ｍｍ以下であり、特に好ましくは１ｍｍ以上、３ｍｍ以下である。１ｍｍ以上であれば通水性基材から抜け出しにくく、５ｍｍ以下であれば感触がゴワゴワせず使いやすい。
【００２９】
通水性基材としては、柔軟性・通水性を有し、且つ使用するまでに破れない程度の強度があれば特に形態、材質にはこだわらない。また通水性としては水が通る孔があれば特に限定はないが、孔の大きさが好ましくは０．００１〜１ｍｍ、特に好ましくは０．０１〜０．５ｍｍである。基材の厚みは好ましくは０．００１〜５ｍｍ、より好ましくは０．０１〜３ｍｍである。
【００３０】
通水性基材の材質としては、たとえば綿、羊毛、絹、セルロース、パルプなどの天然繊維、ポリエステル、ナイロン、アクリル、ポリエチレン、ポリプロピレン、ポリウレタン、ポリスチレン、ポバールなど及びその変性物などの合成樹脂又は繊維、レーヨン、アセテート等の半合成繊維など及びこれらの混合素材、洋紙、和紙などの紙の素材が適用できる。好ましくは天然繊維、紙である。また、水によって崩壊するが溶解せず固体のまま残る紙なども好ましく使用できる。
【００３１】
形態としては、たとえば編布、織布、不織布などの布；ポリエチレン、ポリプロピレンなどのシートに微細な孔を数多く開けたものなどのメッシュフィルム；洋紙、和紙などの紙などが挙げられる。これらの中で布や紙が好ましく、不織布や水に崩壊するが水に不溶なティッシュが特に好ましい。熱融着法で固定する場合は熱融着繊維及び／又はフィルムなどの熱融着物質を含んだものを使用するが、「熱融着不織布の実態と熱融着繊維全容」（１９８９年４月２４日発行、大阪ケミカルマーケッティングセンター社）に詳細に記載されているものが挙げられる。不織布としては、前記不織布が使用できる。
【００３２】
ここで通水性とは、１００ｍｌの２５℃のイオン交換水が１００ｃｍ2の面積を通過する時間（秒）で表すと３０秒以下であり、好ましくは１５秒以下であり、特に好ましくは５秒以下である。
【００３３】
吸水性樹脂シートの構成として好ましいのは、布（特に好ましくは不織布）、紙などの通水性基材の片面または両面に粘着剤やバインダー樹脂を用いて吸水性樹脂粉末を固定化したものであり、特に好ましいものは、紙や不織布などの通水性基材でサンドイッチ状に挟んだ後、エンボス加工法、ニードルパンチ法で吸水性樹脂を一体化したもの；プラスチックフィルムの片面に粘着剤やバインダー樹脂を用いて吸水性樹脂粉末水を固定させ、そのまままたは片面に上記通水性基材を被せたもの、たとえば、セロハンやビニールの粘着テープを用いて、粘着面に吸水性樹脂粉末を散布しそのまままたは不織布などの通水性基材を被せて圧着ロールで固定したものなどが挙げられる。これらの吸放湿性高分子シートは、吸水性樹脂粉末の吸水による膨潤を妨げにくいため、多くの水を吸収して保水することができる。特に好ましいものは、エンボス加工法で吸水性樹脂が不織布や紙に挟まれて固定されたものである。
【００３４】
吸水性樹脂シートの大きさは特に限定がない。シートを袋状物の大きさに合わせてカッティングして１枚で設置しても折り曲げて入れても数枚重ねて設置してもよい。
【００３５】
吸水性樹脂の使用量は、対象となる弦楽器のＦホールの大きさによって異なるが、粉末であれ吸水性樹脂シートであれ、調湿用品１本当たり、好ましくは０．１〜１０ｇ、より好ましくは０．２〜５ｇ、特に好ましくは０．２〜３ｇである。使用量が０．１ｇ以上であると調湿用品の保水性が良好であり弦楽器の調湿性が良好である。１０ｇ以下であると、調湿用品が吸水したとき膨らみすぎず、また性能と経済面のコストパフォーマンスが良好である。
【００３６】
本発明における落下防止用のストッパーとしては、袋状物の端部に直接、または袋状物とウエーブテープを介して装着されているものである。
ストッパーの形状は弦楽器のＦホールから調湿用品が挿入されたとき、あるいは挿入後に楽器内に調湿用品が落下しないようにするためのものであれば特に限定されず、円盤状、球状、半球状、直方体状および立方体状などが挙げられる。取扱い易さの観点から好ましいのは、円盤状もしくは球状である。これらのストッパーの直径はＦホールの最大部分の径よりも大きいことが必要である。Ｆホールの最大部分の径は、弦楽器のメーカーによるが、通常はコントラバスで約２０ｍｍ〜５０ｍｍ、チェロで約１０ｍｍ〜４０ｍｍである。
ストッパーの材質は、ゴム、発泡ゴム、発泡樹脂、樹脂または金属など、特に限定されないが、Ｆホールと接触するのでＦホールにキズをつけないように比較的柔軟性のある軽量な材質が好ましい。また、硬質の材質であっても表面に柔軟性のある材料で覆われたものであってもよい。例えば、衣服用のボタンなどを代用してもよく、表面が繊維で植毛されたフェルト状の大型のボタンなども使用することが出来る。
【００３７】
また、本発明の調湿用品を弦楽器に配設した場合に、袋状物が弦楽器の内面に直接接触しないようにするために、好ましくは袋状物とストッパーはウェーブテープを介して連結されていることが好ましい。ウェーブテープとしては、針金のように自由に曲げられるもので形状記憶するものが好ましく、芯部分が樹脂（例えば、特殊ポリエチレン樹脂）で該樹脂を繊維（例えば、レーヨン）で覆った形状のハードタイプのウェーブテープが好ましい。形状を保持する強度の観点からウェーブテープの巾は約８〜１５ｍｍのものが好ましい。
また、ウェーブテープは、前記袋状物の端部まで挿入されていることが好ましい。さらに必要により、ウェーブテープは二重に重ねて使用してもよい。袋状物の先端部まで挿入されていることにより、あるいは二重に重ねて使用することにより、吸水後の袋状物の形状が曲りにくくなるため、弦楽器を立てて置いても袋状物が弦楽器の内面の木部に直接接触しにくくなる。ここで、袋状物の先端部とは図１に示したように吸放湿性成分が入っている先端部分である。
【００３８】
本発明の調湿用品の製法は、一部が開口した袋状物を作成しておき、開口から吸放湿性成分とウェーブテープを挿入し、開口部を縫製して閉じてもよいし、調湿性成分とウェーブテープとを袋状物の材料で被せて袋を形成してから縫製して閉じてもよい。
なお、袋状物の先端部の巾（図１のｒ０）が狭くて縫製しにくい場合は、縫製作業の経済性の観点から先端部が尖った形状に縫製してもよい。
また、袋状物とストッパーの接合は、ウェーブテープを使用する場合は、ウェーブテープの一端をストッパーに縫いつけてもよいし接着してもよい。ウェーブテープを使用しない場合は、袋状物を直接ストッパーに縫いつけてもよいし接着してもよい。ストッパーが、その中央付近に複数の穴が空いているボタンの様な形状の場合は、その穴を利用してウェーブテープを結びつけてもよい。
【００３９】
袋状物の縫製は、通常の家庭用または工業用ミシンによるミシン掛けがよく、生産効率面から、高速工業用ミシンによる縫製が好ましい。縫製糸は、綿、絹や合成繊維（ポリエステル、ナイロン、アクリル、ポリプロピレンなど）が使用できる。
【００４０】
本発明の調湿性用品は、自宅で弦楽器をケース内で一時的に保管する場合や、長期の国内演奏や海外演奏などで弦楽器を長期間保管する場合や、乾燥した自宅室内で弦楽器を保管する場合や、演奏中の弦楽器であっても使用することができる。
【００４１】
使用方法は、調湿用品の袋状物部分を１〜１５分間、１〜２５℃、好ましくは３〜２５℃の水に浸けた後、表面の余分な水分を手でしごいてから、弦楽器のＦホールに挿入するだけでよく、ストッパーがあるために弦楽器の内部に調湿用品の全体が落ち込まない。
また、吸水した袋状物の表面はサラッとしておりベタつきは無く、たとえ袋状物が弦楽器の内部に触れたとしても悪影響を及ぼすことはない。
また、長期間使用して袋状物の太さが細くなってきたら、再度水に漬けて上記と同様に使用でき、繰り返し使用することができる。
【００４２】
本発明の調湿用品は、弦楽器の内側から調湿するので、その調湿効果が発揮しやすく、しかも効果が速く発揮できる。本発明の調湿用品は吸水性樹脂を使用していることにより、弦楽器内の湿度が約６０％未満の場合は調湿用品からの湿気が拡散して約６０％になるまで加湿し、湿度が約６０％以上の場合は湿気は出ずに６０％以上になることはない。また、梅雨の時期の室内などで高湿度になった場合などでは、調湿用品を水に漬けない状態のままで弦楽器に配設することにより吸湿性を発揮することもできる。
また、従来の弦楽器のケースの内側に貼り付けるタイプの調湿用品はケース内で嵩ばるので楽器の邪魔になるのに比べて、本発明の調湿用品は弦楽器の内部に配設するので嵩ばらない。
なお、必要により、弦楽器のケース内に簡易湿度計を設置してもよい。
【００４３】
実施例
以下、製造例、実施例及び比較例により本発明を更に説明するが、本発明はこれらに限定されるものではない。以下、特に定めない限り、％は質量％を示す。
【００４４】
製造例１（吸水性樹脂の製造）
容量１リットルのガラス製反応容器にアクリル酸ナトリウム７６．６ｇ、アクリル酸２３ｇ、Ｎ，Ｎ'-メチレンビスアクリルアミド０．４ｇおよび脱イオン水２９５ｇを仕込み、攪拌・混合しながら内容物の温度を５℃に保った。内容物に窒素を流入して溶存酸素量を１ｐｐｍ以下とした後、過酸化水素の１％水溶液１ｇ、アスコルビン酸の０．２％水溶液１．２ｇおよび２，２'-アゾビスアミジノプロパンジハイドロクロライドの２％水溶液２．４ｇを添加して重合を開始させ、約５時間重合することにより吸水性樹脂濃度２５％の含水ゲル状重合体を得た。これを乾燥して平均粒子径４００μｍの吸水性樹脂粉末を得た。さらにこの粉末９０ｇに水３６０ｇを加えて含水ゲルとし、「デナコールＥＸ−３１３」（グリセロールポリグリシジルエーテル、ナガセケムテックス社製）１０ｇを添加して混練し、１４０℃で３時間反応した後、この混練物を９０℃で減圧乾燥し、ピンミルで粉砕した後、５０〜７５０ミクロンの粒度が約９５％となるように粒度調整して、平均粒径３５０μｍの吸水性樹脂を得た。
【００４５】
製造例２［吸水性樹脂シートの作成］
巾４０ｃｍ、長さ７０ｃｍのティッシュペーパーの上に、製造例１で製造した吸水性樹脂と繊維状パルプ（重量比で１／２）の合計量を１５０ｇ／ｍ２になるように均一に散布し、その上に同じサイズのティッシュペーパーを置いて、その上からエンボス加工を施し一体化した。
これを下記の大きさにスリットして複数枚の吸水性樹脂シート（ａ１）〜（ａ３）を作成した。
（ａ１）巾２ｃｍ、長さ４ｃｍ
（ａ２）巾２ｃｍ、長さ１２ｃｍ
（ａ３）巾２ｃｍ、長さ１６ｃｍ
【００４６】
実施例１［バイオリン用調湿用品の作成］
幅３ｃｍ、長さ７ｃｍの綿１００％の布帛からなる袋状物の中に、前記吸水性樹脂シート（ａ１）を４枚重ねて封入し、さらに長さ１５ｃｍ、幅１０ｍｍのウェーブテープを二重に折り曲げて長さ７．５ｃｍにして封入して、縫製して固定した。さらにウェーブテープの末端にストッパーとして直径４ｃｍのフェルト製円盤状ボタンを結びつけて、本発明のバイオリン用の調湿用品−１を作成した。この場合、図１におけるｒ0は３ｃｍ、Ｌは７ｃｍ、ａは３ｃｍ、Ｒは４ｃｍである。
【００４７】
実施例２［チェロ用調湿用品の作成］
幅３ｃｍ、長さ１５ｃｍの綿１００％の布帛からなる袋状物の中に、前記吸水性樹脂シート（ａ２）を４枚重ねて封入し、さらに長さ３５ｃｍ、幅１０ｍｍのウェーブテープを二つ折りにし長さ１７．５ｃｍにして封入して、縫製して固定した。さらにウェーブテープの末端にストッパーとして直径５ｃｍ、厚さ６ｍｍのフェルト製円盤状ボタンを結びつけて、本発明のチェロ用の調湿用品−２を作成した。この場合、図１におけるｒ0は３ｃｍ、Ｌは１５ｃｍ、ａは５ｃｍ、Ｒは５ｃｍである。
【００４８】
実施例３［コントラバス用調湿用品の作成］
幅３ｃｍ、長さ２０ｃｍの綿１００％の布帛からなる袋状物の中に、前記吸水性樹脂シート（ａ３）を４枚重ねて封入し、さらに長さ４５ｃｍ、幅１０ｍｍのウェーブテープを二つ折りにし長さ２２．５ｃｍにして封入して、縫製して固定した。さらにウェーブテープの末端にストッパーとして直径５ｃｍのフェルト製円盤状ボタンを結びつけて、本発明のコントラバス用の調湿用品−３を作成した。この場合、図１におけるｒ0は３ｃｍ、Ｌは２０ｃｍ、ａは５ｃｍ、Ｒは５ｃｍである。
【００４９】
比較例１〜３
直径１ｃｍ×長さ４ｃｍ、直径１．５ｃｍ×長さ１２ｃｍ、直径２ｃｍ４×長さ１６ｃｍの棒状の海綿状スポンジを、それぞれ、表面に多数の穴（１ｃｍ２当たり約４個）があいたゴム製チューブに挿入し、末端にゴム製ストッパーを付けた形状の比較の放湿用品−１〜３を作成した。
【００５０】
比較例４〜６
いずれの調湿用品をも使用しない場合を比較例４〜６とした。
評価結果
相対湿度２５％、気温３０℃の乾燥した室内で、実施例の調湿用品−１〜３および比較例の放湿用品−１〜３を１５℃の水に５分間漬けたのち、表面の余分な水分を手でしごいて除去し、それぞれ、バイオリン、チェロ、コントラバスのＦホールに配設し、それぞれのハードケース内に保管し、３０℃の室内に保管した。ケース内には簡易湿度計を置いた。
１週間後にケースを開けてそれぞれの楽器の状態を観察した結果を表１に示す。
【００５１】
【表１】
2015121663.tif 000003
【００５２】
表１から、本発明の調湿用品を使用した場合は、密閉した状態で弦楽器を保管しても、ひび割れなどを起こすことがなく安全に保管することができる。
また、吸放湿性のある吸水性樹脂を使用しているので、余分な水分が楽器に直接垂れることがなく、安全に保管することができる。
以上のことから、本発明の調湿用品は、弦楽器用の調湿用品として有用である。
【符号の説明】
【００５３】
１    袋状物
２    吸水性樹脂シート
３    ウェーブテープ
４    ストッパー
ｒ０    袋状物の巾
Ｌ    袋状物の長さ
ａ    ストッパーと袋状物の連結部分の長さ
Ｒ    ストッパーの直径
ｒ１  水で膨潤した袋状物の最大部分の直径
【図１】
2015121663.tif 000004
【図２】
2015121663.tif 000005
【図３】
2015121663.tif 000006